(57)【特許請求の範囲】
【請求項１】
伝送チャンネルを介して送信機から受信機に信号を送信する伝送システムであって、
前記送信機が、
コード化特性により記述されるやり方で主信号をコード化するためのエンコーダと、
補助信号を前記受信機に伝送するため、該補助信号に依存する所定の系列に従って、前記コード化特性を変更するためのコード化特性系列化手段と、
前記主信号および前記コード化特性を、前記受信機に送信する送信手段とを有し、
前記受信機が、
前記主信号および前記コード化特性を、前記送信機から受信する受信手段と、
前記コード化特性により記述されるやり方で前記主信号をデコードするためのデコーダと、
前記コード化特性の前記所定の系列を検出することにより、前記送信機から前記補助信号を受け取るための系列検出手段とを有することを特徴とする伝送システム。
【請求項２】
前記伝送システムが、前記伝送チャンネルの伝送品質を特定するための伝送品質特定手段及び前記伝送品質に依存して前記コード化特性を適応させるための適応手段を有し、前記コード化特性系列化手段が、前記伝送品質特定手段により特定された前記伝送品質より低い伝送品質に対応する値にのみ前記コード化特性を変更するように構成されていることを特徴とする請求項１に記載の伝送システム。
【請求項３】
コード化特性により記述されるやり方で主信号をコード化するためのエンコーダと、
補助信号を受信機に伝送するため、該補助信号に依存する所定の系列に従って、前記コード化特性を変更するためのコード化特性系列化手段と、
前記主信号および前記コード化特性を、前記受信機に送信する送信手段とを有することを特徴とする送信機。
【請求項４】
主信号およびコード化特性を、送信機から受信する受信手段と、
前記コード化特性により記述されるやり方で前記主信号をデコードするためのデコーダと、
前記コード化特性の所定の系列を検出することにより、前記送信機から補助信号を受け取るための系列検出手段とを有することを特徴とする受信機。
【請求項５】
信号を送受信するための方法において、
送信側において、コード化特性により記述されるやり方で主信号をコード化するステップと、
送信側において、補助信号を受信側に伝送するため、該補助信号に依存する所定の系列に従って、前記コード化特性を変更するステップと、
前記主信号および前記コード化特性を、送信側から受信側に送信するステップと、
受信側において、前記コード化特性により記述されるやり方で前記主信号をデコードするステップと、
受信側において、前記コード化特性の前記所定の系列を検出することにより、前記補助信号を受け取るステップとを有することを特徴とする方法。
【請求項６】
信号を送信するための方法において、
コード化特性により記述されるやり方で主信号をコード化するステップと、
補助信号を受信側に伝送するため、該補助信号に依存する所定の系列に従って、前記コード化特性を変更するステップと、
前記主信号および前記コード化特性を、送信するステップとを有することを特徴とする方法。
【請求項７】
信号を受信するための方法において、
主信号およびコード化特性を受信するステップと、
前記コード化特性により記述されるやり方で前記主信号をデコードするステップと、
前記コード化特性の所定の系列を検出することにより、補助信号を受け取るステップとを有することを特徴とする方法。
【発明の詳細な説明】
【技術分野】
【０００１】
本発明は、伝送チャンネルを介して受信機に結合された送信機を有する伝送システムであって、前記送信機は、主信号及び補助信号を受信機に送信するように構成されており、前記受信機は、主信号及び補助信号を受信するように構成されている伝送システムに関する。
【０００２】
本発明は、上記伝送システムに使用するための送信機及び受信機にも関する。更に、本発明は、伝送方法及び信号にも関する。
【０００３】
【背景技術】
伝送システムでは、主信号に加えて補助信号を送信することがしばしば望まれる。主信号は、例えば、移動電話システムの無線リンクを介して送信される音声（スピーチ）信号である。補助信号は、例えば、受信機の受信しなければならない信号の変化に適応するために、受信機の再構成を要求するための制御信号である。
【０００４】
このような補助信号のために伝送フレーム中に特殊なフィールドを含めることは可能であるが、もし、補助信号が稀にしか用いられないのであれば、前記のように伝送フレーム中に特殊フィールドを含ませることは、非常に効率が悪い。前記補助信号が送信されるべき時に変更されるフレーム構造を用いることも可能である。様々なフレーム構造の使用は、伝送システムの複雑さをかなり増大させることになる。
【０００５】
【発明の開示】
本発明の目的は、上記の非効率及び複雑さの追加を回避できる、伝送チャンネルを介して受信機に結合された送信機を有する伝送システムであって、前記送信機は、主信号及び補助信号を受信機に送信するように構成されており、前記受信機は、主信号及び補助信号を受信するように構成されている伝送システムを提供することである。
【０００６】
この目的を達成するために、本発明による伝送システムは、前記送信機がコード化特性により記述されるやり方で主信号をコード化するためのエンコーダを有し、前記受信機がコード化特性により記述されるやり方で前記主信号をデコードするためのデコーダを有し、前記送信機が前記補助信号に依存する所定の系列（シーケンス）に従って前記コード化特性を変更するためのコード化特性系列化手段を有し、前記受信機が前記コード化特性の前記の所定の系列を検出するための系列検出器を有することを特徴とする。
【０００７】
本発明による伝送システムでは、主信号がしばしばコード化されるという事実を利用している。一般的には、主信号は、そのビットレートを削減するためのソースコード化方式及び／又は伝送チャンネルにわたって主信号の高信頼度伝送を可能にするチャンネルコード化方式に従ってコード化される。ソースコード化方式は、音声信号に対してCELPコード化の使用を含むことが出来、ソースコード化は、たたみ込みエンコーダ又はリードソロモンブロックコードのようなエラー訂正コードの使用を含むことが出来る。コード化特性は、音声エンコーダの出力ビットレート、又はたたみ込みエンコーダのレートであり得る。いくつかの伝送システムにおいて、伝送チャンネル容量の変化に応答して、コード特性は進行中変更される。この伝送チャンネル容量は、減少される若しくは増大される信号強度及び／若しくは無線リンクから受信される干渉、又はインターネットのような伝送ネットワークのより多くの若しくはより少ない混雑により変化する。
【０００８】
目的によって、所定の系列に従ってコード化特性を変更することで、フレーム構造中に余分なスペースを確保することなしに、又は可変フレーム構造を使用する必要なしに、補助信号を受信機に送信することが可能である。
【０００９】
本発明の１つの実施例は、前記伝送システムが、前記伝送チャンネルの伝送品質を特定するための伝送品質特定手段及び伝送品質に依存して前記コード化特性を適応させるための適応手段を有し、前記コード化特性系列化手段が、前記伝送品質特定手段により特定された前記伝送品質より低い伝送品質に対応する値にのみコード化特性を変更するように構成されていることを特徴とする。
【００１０】
この方策によれば、コード化特性系列化手段の作用のおかげで、もはや高信頼度伝送が実行できなくなるようなコード化特性の選択がなされることを防止する。この問題は、コード化特性系列化手段が、現在の伝送品質より良い伝送品質に対してのみ適応するコード化特性に切り換える時に起こり得る。
【００１１】
【発明を実施するための最良の形態】
以下、添付図面を参照しながら、本発明を説明していく。
【００１２】
図１による伝送システムは３つの重要な構成要素を有し、これらはＴＲＡＵ（トランスコーダ及びレートアダプタユニット）２、ＢＴＳ（基地送受信局）４及び移動局６である。ＴＲＡＵ２は、Ａビス（A-bis）インターフェース８を介してＢＴＳ４に結合されている。該ＢＴＳ４は、大気インターフェース１０を介して移動ユニット６に結合されている。
【００１３】
ここでは移動ユニット６に送信されるべき音声信号である主信号は、音声エンコーダ１２に供給される。ソースシンボルとも呼ばれるコード化された音声信号を帯びる該音声エンコーダ１２の第１出力端は、上記Ａビスインターフェース８を介してチャンネルエンコーダ１４に結合されている。背景雑音レベル指示子ＢＤを帯びる音声エンコーダ１２の第２出力端は、システムコントローラ１６の入力端に結合されている。ここではダウンリンクレート割当信号Ｒｄであるようなコード化特性を伝送する該システムコントローラ１６の第１出力端は、音声エンコーダ１２に結合されると共に、前記Ａビスインターフェースを介して、チャンネルエンコーダ１４内のコード化特性設定手段２５と、ここではブロックコーダ１８である他のチャンネルエンコーダとに結合されている。アップリンクレート割当信号Ｒｕを伝送するシステムコントローラ１６の第２出力端は、チャンネルエンコーダ１４の第２入力端に結合されている。２ビットのレート割当信号Ｒｕは、２つの連続するフレームにわたり１ビットづつ伝送される。レート割当信号Ｒｄ及びＲｕは、ダウンリンク及びアップリンク伝送系をＲｄ及びＲｕにより表されるコード化特性で各々動作させるためのリクエストを構成する。
【００１４】
移動局６に伝送されるＲｄの値は、コード化特性系列化手段１３により覆すことができることが分かる。このコード化特性系列化手段１３は、レート割当信号Ｒｕにより表される所定の系列のコード化特性を、ブロックエンコーダ１８、チャンネルエンコーダ１４及び音声エンコーダ１２に強制することができる。この所定の系列は、伝送フレーム内に追加スペースを要することなく、移動局６に追加情報を伝送するために使用することができる。２以上の所定の系列のコード化特性を使用することが可能である。これら所定の系列のコード化特性の各系列は、別々の補助信号値に対応する。
【００１５】
システムコントローラ１６は、Ａビスインターフェースから、アップリンク及びダウンリンクに関する大気インターフェース１０（無線チャンネル）の品質を示す品質尺度Ｑｕ及びＱｄ'を受信する。品質尺度Ｑｕは複数の閾レベルと比較され、この比較の結果はシステムコントローラ１６により、アップリンクの音声エンコーダ３６とチャンネルエンコーダ３８との間で、利用可能なチャンネル容量を分割するために使用される。信号Ｑｄ'はローパスフィルタ２２によりフィルタされ、続いて複数の閾値と比較される。該比較の結果は、音声エンコーダ１２とチャンネルエンコーダ１４との間で利用可能なチャンネル容量を分割するために使用される。アップリンク及びダウンリンクに関しては、音声エンコーダ１２とチャンネルエンコーダ１４との間のチャンネル容量の４つの異なる分割の組合せが可能である。これらの可能性が下表に示される。
【表１】
0004361691.tif 000002
表１から、音声エンコーダ１２に割り当てられるビットレート及び前記チャンネルエンコーダのレートはチャンネル品質に伴い増加することが分かる。これは、より良好なチャンネル条件においては、上記チャンネルエンコーダは低いビットレートを用いて所要の伝送品質（フレームエラー率）を得ることができる故に可能となる。上記チャンネルエンコーダの大きなレートにより節約されたビットレートは、より良好な音声品質を得るために、該ビットレートを音声エンコーダ１２に割り当てることにより利用される。ここでは、前記コード化特性がチャンネルエンコーダ１４のレートであることが分かる。コード化特性設定手段２５は、チャンネルエンコーダ１４のレートを、システムコントローラ１６により供給されるコード化特性に従って設定するよう構成されている。
【００１６】
悪いチャンネル条件の下では、上記チャンネルエンコーダは、所要の伝送品質を得るために、より低いレートを有する必要がある。該チャンネルエンコーダは、８ビットのＣＲＣが付加される音声エンコーダ１２の出力ビットをコード化するような、可変レートのたたみ込みエンコーダであろう。該可変レートは、異なる基本レートを有する異なるたたみ込みコードを用いることにより、又は一定の基本レートのたたみ込みコードのパンクチャ処理（puncturing）を用いることにより得ることができる。好ましくは、これらの方法の組合せが使用される。
【００１７】
下に示す表２には、表１に示したたたみ込みコードの特性が示されている。これらの全てのたたみ込みコードは５に等しい値νを有している。
【表２】
0004361691.tif 000003
表２において、値Ｇｉは生成多項式を表している。生成多項式Ｇ(n)は：
【数１】
0004361691.tif 000004
により定義される。式（Ａ）において、丸で囲む十字記号はモジュロ２加算である。また、ｉは系列ｇ０，ｇ１，…ｇν−１，ｇνの８進表記である。
【００１８】
異なるコードの各々に関して、当該コードに使用される生成多項式が、対応するセル内の数により示されている。該対応するセル内の数は、ソースシンボルのうちのどれに関して対応する生成多項式が考慮されているかを示す。更に、上記数は、上記多項式を使用することにより導出される、ソースシンボルの系列中におけるコード化されたシンボルの位置を示す。各桁は、指示された生成多項式を用いて導出されたチャンネルシンボルの、チャンネルシンボルの系列中における位置を示す。レート1/2コードに関しては、生成多項式５７及び６５が使用される。各ソースシンボルに関しては、先ず多項式６５により計算されたチャンネルシンボルが送信され、次いで生成多項式５７によるチャンネルシンボルが送信される。同様の方法により、レート1/4コードに対するチャンネルシンボルを決定するために使用されるべき多項式は、表２から決定することができる。その他のコードは、パンクチャ処理されたたたみ込みコードである。該表において桁が０に等しい場合は、対応する生成多項式が上記特別のソースシンボルに対しては使用されないことを意味する。表２から、生成多項式の幾つかはソースシンボルの各々に対しては使用されないことが分かる。該テーブルにおける数の系列は、１、３、５又は６より長い入力シンボルの系列に対して各々周期的に継続されることが分かる。
【００１９】
表１が、全レートチャンネル及び半レートチャンネルに関して、音声エンコーダ１２のビットレート及びチャンネルエンコーダ１４のレートの値を示すことが分かる。どのチャンネルが使用されるかについての判断はシステム操作者によりなされ、別の制御チャンネル上で伝送することが可能な帯域外制御信号によりＴＲＡＵ２、ＢＴＳ４及び移動局６に通知される。チャンネルエンコーダ１４にも、信号Ｒｕが供給される。
【００２０】
ブロックコーダ１８は、選択されたレートＲｄを移動局６へ送信すべくコード化するために存在する。このレートＲｄは、２つの理由により別のエンコーダにおいてコード化される。第１の理由は、上記移動局におけるチャンネルデコーダ２８に対し、新たなレートＲｄによりコード化されたデータが該チャンネルデコーダ２８に到達する前に、該新たなレートを通知するのが望ましいということである。第２の理由は、値Ｒｄが、チャンネルエンコーダ１４を用いて可能であるよりも、伝送エラーに対して一層良好に保護されるのが望ましいということである。コード化されたＲｄのエラー訂正特性を、より一層向上させるために、コードワードは別々のフレームで送信される２つの部分に分割される。コードワードの斯かる分割は、より長いコードワードが選択されるのを可能にし、結果としてエラー訂正能力が更に改善される。
【００２１】
全レートチャンネルが使用される場合、ブロックコーダ１８は２ビットにより表されるコード化特性Ｒｄを、１６ビットのコードワードを持つブロックコードによりコード化されるコード化されたコード化特性にコード化する。半レートチャンネルが使用される場合は、８ビットのコードワードを持つブロックコードが、上記コード化特性をコード化するために使用される。使用されるコードワードは下記の表３及び表４に示される。
【表３】
0004361691.tif 000005
【表４】
0004361691.tif 000006
表３及び表４から、全レートチャンネル用に使用されるコードワードは、半レートチャンネルに使用されるコードワードを繰り返すことにより得られ、結果としてエラー訂正特性が改善されることが分かる。半レートチャンネルでは、シンボルＣ０ないしＣ３が最初のフレームで送信され、ビットＣ４ないしＣ７は後続のフレームで送信される。全レートチャンネルにおいては、シンボルＣ０ないしＣ７が最初のフレームにおいて送信され、ビットＣ８ないしＣ１５は後続のフレームで送信される。
【００２２】
チャンネルエンコーダ１４及びブロックエンコーダ１８の出力は、大気インターフェース１０を介して時間分割多重で送信される。しかしながら、幾つかの信号を大気インターフェース１０を介して送信するためにＣＤＭＡを使用することもできる。移動局６においては、大気インターフェース１０から受信された信号は、チャンネルデコーダ２８と、ここではブロックデコーダ２６である他のチャンネルデコーダとに供給される。ブロックデコーダ２６は、前記Ｒｄビットにより表されるコード化特性を、コードワードＣ０…ＣＮにより表されるコード化されたコード化特性をデコードすることによって導出するように構成されており、ここで、半レートチャンネルに対してはＮは７であり、全レートチャンネルに対してはＮは１５である。
【００２３】
ブロックデコーダ２６は、４つの可能性のあるコードワードと、その入力信号との間の相関を計算するように構成されている。これは２つの処理でなされる。何故なら、上記コードワードは、２つの連続したフレームで、部分に分けられて送信されるからである。上記コードワードの最初の部分に対応する入力信号が受信された後、可能性のあるコードワードの最初の部分と、入力値との間の相関値が計算され、且つ記憶される。後続のフレームにおいて、上記コードワードの２番目の部分に対応する入力信号が受信されると、可能性のあるコードワードの２番目の部分と該入力信号との間の相関値が計算されて、先に記憶された相関値に加算され、これにより最終的相関値を得る。全入力信号に対して最大の相関値を有するようなコードワードに対応するＲｄの値が、上記コード化特性を表す受信されたコードワードとして選択され、当該ブロックデコーダ２６の出力端に受け渡される。ブロックデコーダ２６の出力端は、チャンネルデコーダ２８における特性設定手段２７の制御入力端と音声デコーダ３０の制御入力端とに対し、チャンネルデコーダ２８のレート及び音声デコーダ３０のビットレートを前記信号Ｒｄに対応する値に設定するために接続されている。
【００２４】
チャンネルデコーダ２８は該デコーダの入力信号をデコードし、第１出力端において、コード化された音声信号を音声デコーダ３０の入力端に供給する。
【００２５】
チャンネルデコーダ２８は、第２出力端に、フレームの誤った受信を示す信号ＢＦＩ（不良フレーム指示子）を供給する。このＢＦＩ信号は、該チャンネルデコーダ２８内のたたみ込みデコーダによりデコードされた信号の一部にわたりチェックサムを計算すると共に、該計算されたチェックサムと大気インターフェース１０から受信されたチェックサムの値とを比較することにより得られる。
【００２６】
音声デコーダ３０は、前記音声エンコーダ１２の音声信号の複製を、チャンネルデコーダ２８の出力信号から導出するように構成されている。音声デコーダ３０は、チャンネルデコーダ２８からＢＦＩ信号が受信された場合は、先のフレームに対応する先に受信されたパラメータに基づいて音声信号を導出するように構成されている。該音声デコーダ３０は、複数の連続するフレームが不良フレームとして示される場合は、該デコーダの出力をミュートするように構成することができる。
【００２７】
チャンネルデコーダ２８は、第３の出力端にデコードされた信号Ｒｕを供給する。該信号Ｒｕは、ここではアップリンクのビットレート設定であるようなコード化特性を表している。該信号Ｒｕはフレーム当たりに１ビット（ＲＱＩビット）を有している。逆フォーマッタ３４において、連続するフレームにおいて受信された２つのビットを、２ビットにより表されるアップリンク用のビットレート設定Ｒｕ'に合成する。表１に従う、アップリンクに使用されるべき可能性のうちの１つを選択する該ビットレート設定Ｒｕ'は、音声エンコーダ３６の制御入力端と、チャンネルエンコーダ３８の制御入力端と、ここではブロックエンコーダ４０であるような他のチャンネルエンコーダの入力端とに供給される。前記チャンネルデコーダ２８がＢＦＩ信号を送出することにより不良フレームを通知する場合は、デコードされた信号Ｒｕはアップリンクレートを設定するためには使用されない。何故なら、それは信頼性がないと見なされるからである。
【００２８】
チャンネルデコーダ２８は、更に、第４出力端に品質尺度ＭＭＤｄを供給する。この尺度ＭＭＤは、該チャンネルデコーダでビタビデコーダが使用される場合は、容易に導出することができる。この品質尺度は、処理ユニット３２において一次フィルタによりフィルタされる。処理ユニット３２における該フィルタの出力信号に関しては：
【数２】
0004361691.tif 000007
と書くことができる。
【００２９】
チャンネルデコーダ２８のビットレート設定がＲｄの変化された値に応じて変化された後では、MMD'[n-1]の値は、新たに設定されたビットレート及び典型的なダウンリンクチャンネル品質に対する、上記フィルタされたＭＭＤの長時間平均に対応するような典型的な値に設定される。これは、異なる値のビットレートの間で切り換える場合に、過渡現象を低減するためになされる。
【００３０】
上記フィルタの出力信号は、２ビットを用いて品質指示子Ｑｄに量子化される。該品質指示子Ｑｄはチャンネルエンコーダ３８の第２入力端に供給される。該２ビットの品質指示子Ｑｄは、２フレーム毎に一度、各フレームの１つのビット位置を用いて伝送される。
【００３１】
移動局６における音声エンコーダ３６に供給される音声信号は、コード化されてチャンネルエンコーダ３８に受け渡される。チャンネルエンコーダ３８は該エンコーダの入力ビットにわたりＣＲＣ値を計算し、このＣＲＣ値を該エンコーダの入力ビットに付加し、該入力ビットとＣＲＣ値との合成を、信号Ｒｕ'により表１から選択されたたたみ込みコードに従ってコード化する。
【００３２】
ブロックエンコーダ４０は、２ビットにより表される信号Ｒｕ'を、半レートチャンネル又は全レートチャンネルが使用されるかに応じて表３又は表４に従いコード化する。ここでも、コードワードの半分のみが１つのフレーム内で送信される。
【００３３】
移動局６内のチャンネルエンコーダ３８及びブロックエンコーダ４０の出力信号は、大気インターフェース１０を介してＢＴＳ４に送信される。該ＢＴＳ４においては、上記のブロックコード化された信号Ｒｕ'は、ここではブロックデコーダ４２であるような他のチャンネルデコーダによりデコードされる。該ブロックデコーダ４２の動作は、前記ブロックデコーダ２６の動作と同一である。ブロックデコーダ４２の出力端には、信号Ｒｕ"により表されるデコードされたコード化特性が得られる。このデコードされた信号Ｒｕ"は、チャンネルデコーダ４４内のコード化特性設定手段４３の制御入力端に供給され、Ａビスインターフェースを介して音声デコーダ４８の制御入力端に受け渡される。
【００３４】
ＢＴＳ４においては、大気インターフェース１０を介して受信されたチャンネルエンコーダ３８からの信号は、チャンネルデコーダ４４に供給される。チャンネルデコーダ４４は、該デコーダの入力信号をデコードし、該デコードされた信号をＡビスインターフェース８を介してＴＲＡＵ２に受け渡す。チャンネルデコーダ４４は、アップリンクの伝送品質を表す品質尺度ＭＭＤｕを処理ユニット４６に供給する。該処理ユニット４６は、前記処理ユニット３２及び２２において実行されるものと同様のフィルタ処理を実行する。次いで、該フィルタ処理の結果は、２ビットに量子化され、Ａビスインターフェース８を介してＴＲＡＵ２に送信される。
【００３５】
システムコントローラ１６においては、判定ユニット２０が、アップリンクに使用されるべきビットレート設定Ｒｕを上記品質尺度Ｑｕから決定する。通常の環境下では、音声エンコーダに割り当てられるチャンネル容量の部分は、チャンネル品質の増加に伴い増加するであろう。レートＲｕは２フレーム毎に一度送信される。
【００３６】
チャンネルデコーダ４４から受信された信号Ｑｄ'は、システムコントローラ１６内の処理ユニット２２に受け渡される。該処理ユニット２２においては、２つの連続するフレームで受信されるＱｄ'を表すビットが組み立てられ、該信号Ｑｄ'は前記処理ユニット３２内のローパスフィルタと同様の特性を持つ一次ローパスフィルタによりフィルタされる。
【００３７】
該フィルタされた信号Ｑｄ'は、ダウンリンクレートＲｄの実際の値に依存する２つの閾値と比較される。該フィルタされた信号Ｑｄ'が上記閾値の最低のものより低い場合は、当該信号品質はレートＲｄに対しては低過ぎ、該処理ユニットは現在のレートよりも１段低いレートに切り換える。上記のフィルタされた信号Ｑｄ'が上記閾値の最高のものを越える場合は、当該信号品質はレートＲｄにとっては高過ぎるので、該処理ユニットは現在のレートよりも１段高いレートに切り換える。アップリンクレートＲｕに関して採る判定も、上記ダウンリンクレートＲｄに関して採る判定と同様である。
【００３８】
ここでも、通常の環境下では、音声エンコーダに割り当てられるチャンネル容量の部分は、チャンネル品質の増加に伴い増加するであろう。特別な環境下では、信号Ｒｄは移動局に対して再構成信号を送信するために使用することもできる。この再構成信号は、例えば、別の音声コード化／デコード及び／又はチャンネルコード化／デコードアルゴリズムが使用されるべきであることを示すことができる。この再構成信号は、Ｒｄ信号の特別な所定の系列（シーケンス）を用いてコード化することができる。Ｒｄ信号の該特別な所定の系列は、移動局内のエスケープ系列デコーダ３１により認識される。該デコーダは所定の（エスケープ）系列が検出された場合に、有効化された装置に再構成信号を発するように構成されている。該エスケープ系列デコーダ３１は、Ｒｄの連続する値がクロックされるシフトレジスタを有することができる。該シフトレジスタの内容を上記所定の系列と比較することにより、何時エスケープ系列が受信されたか、及び可能性のあるエスケープ系列のどれが受信されたかを容易に検出することができる。
【００３９】
コード化された音声信号を表すチャンネルデコーダ４４の出力信号は、Ａビスインターフェースを介してＴＲＡＵ２に送信される。該ＴＲＡＵ２においては、上記コード化された音声信号は音声デコーダ４８に供給される。チャンネルデコーダ４４の出力端における、ＣＲＣエラーの検出を示す信号ＢＦＩは、Ａビスインターフェース８を介して音声デコーダ４８に受け渡される。音声デコーダ４８は、前記音声エンコーダ３６の音声信号の複製を、チャンネルデコーダ４４の出力信号から導出するように構成されている。該音声デコーダ４８は、チャンネルデコーダ４４からＢＦＩ信号が受信された場合は、前記音声デコーダ３０において実行されたのと同様に、先のフレームに対応する先に受信された信号に基づいて音声信号を導出するように構成されている。該音声デコーダ４８は、複数の連続するフレームが不良フレームとして示される場合は、より進んだエラー隠蔽処理を実行するように構成することができる。
【００４０】
図２は、本発明による伝送システムにおいて使用されるフレームフォーマットを示している。音声エンコーダ１２又は３６は、伝送エラーに対して保護されるべきＣビットの群６０と、伝送エラーに対して保護する必要のないＵビットの群６４とを供給する。前記他の系列が該Ｕビットを有する。判定ユニット２０及び処理ユニット３２は、前述したような通知の目的で、フレーム毎に１ビットのＲＱＩ６２を供給する。
【００４１】
ビットの上記組合せはチャンネルエンコーダ１４又は３８に供給され、該エンコーダは先ず上記ＲＱＩビットとＣビットとの組合せにわたってＣＲＣを算出し、８つのＣＲＣビットをＣビット６０及びＲＱＩビット６２の後に付加する。前記Ｕビットは上記ＣＲＣビットの算出には関与されない。Ｃビット６０とＲＱＩビット６２との組合せ６６及びＣＲＣビット６８は、たたみ込みコードに従ってコード化された系列７０にコード化される。前記コード化されたシンボルは、該コード化された系列７０を構成する。上記Ｕビットは変化されないままである。
【００４２】
上記組合せ６６のビット数は、下記の表５に示されるように、当該たたみ込みエンコーダのレートと、使用されるチャンネルの型式とに依存する。
【表５】
0004361691.tif 000008
コード化特性を表す２つのＲＡビットは、コード化されたコード化特性を表すコードワード７４に、利用可能な伝送容量（半レート又は全レート）に応じて表３又は４に示されたコードに従ってコード化される。このコード化は２つのフレームにおいて一度だけ実行される。上記コードワード７４は２つの部分７６及び７８に分割され、現フレーム及び次のフレームにおいて送信される。
【図面の簡単な説明】
【図１】  図１は、本発明による伝送システムを示す。
【図２】  図２は、図１に従う伝送システムに使用されるフレーム構造を示す。
【符号の説明】
２ トランスコーダ及びレートアダプタユニット
４ 基地送受信局
６ 移動局
８ Aビスインターフェース
１０ 大気インターフェース
１２ 音声エンコーダ
１３ コード化特性系列化手段
１４ チャンネルエンコーダ
１６ システムコントローラ
１８ ブロックエンコーダ
２０ 判定ユニット
２２ 処理ユニット
２５ コード化特性設定手段
２６ ブロックデコーダ
２８ チャンネルデコーダ
３０ 音声デコーダ
３１ エスケープ系列デコーダ
３２ 処理ユニット
３６ 音声エンコーダ
３８ チャンネルエンコーダ
４０ ブロックエンコーダ
４２ ブロックデコーダ
４３ コード化特性設定手段
４４ チャンネルデコーダ
４６ 処理ユニット
４８ 音声デコーダ
６０ Ｃビットの群
６２ ＲＱＩビット
６４ Ｕビットの群
６６ たたみ込みコードに従ってコード化された系列
６８ ＣＲＣビット
【図１】
0004361691.tif 000009
【図２】
0004361691.tif 000010